(57)【特許請求の範囲】
【請求項１】
容器本体に設けられたヘッドの押し下げにより当該ヘッドに形成されたノズルを通して内容物が噴射されるエアゾール容器と、当該エアゾール容器が容器本体の底部及び胴部を支持された状態で斜めに載せ置かれる凹部を有する本体と、当該本体に合わさって内側にエアゾール容器の収納空間を形成する蓋体とを備え、
当該蓋体に、ヘッドに接触可能な突起を一体に有して蓋体に形成されたＵ字状のスリットにより形作られた片持ち支持片であり、当該片持ち支持片の自由端側に一体に設けられ蓋体の外側に膨出する押圧ボタンの押し込みによって前記突起がヘッドを押し下げる噴射スイッチを設け、
ノズルからの内容物が蓋体に形成した貫通孔を通して外界に噴射されるようにしたことを特徴とする、エアゾール容器を備える固定噴射用ケース。
【請求項２】
容器本体に設けられたヘッドの押し下げにより当該ヘッドに形成されたノズルを通して内容物が噴射されるエアゾール容器と、当該エアゾール容器が容器本体の底部及び胴部を支持された状態で斜めに載せ置かれる凹部を有する本体と、当該本体に合わさって内側にエアゾール容器の収納空間を形成する蓋体とを備え、
当該蓋体又は本体に、ヘッドに接触可能な突起を一体に有し回転可能に保持される回転部材であり、当該回転部材に一体に設けられ蓋体に形成された開口部から蓋体の外側に膨出する押圧ボタンの押し込みによって前記突起がヘッドを押し下げる噴射スイッチを設け、
ノズルからの内容物が蓋体に形成した貫通孔を通して外界に噴射されるようにしたことを特徴とする、エアゾール容器を備える固定噴射用ケース。
【請求項３】
請求項１又は２において、前記凹部は、容器本体の胴部側面とそれぞれ接触してエアゾール容器を胴部幅方向に位置決めする２つの側壁を有することを特徴とする、エアゾール容器を備える固定噴射用ケース。
【請求項４】
請求項１乃至３のいずれか１項において、ヘッドの側面に、前記凹部から突出させた突起の先端に接触して、ノズルの向きを位置決めする縦リブを設けたことを特徴とする、エアゾール容器を備える固定噴射用ケース。
【請求項５】
請求項１乃至４のいずれか１項において、蓋体を本体に対して回転可能に軸支したことを特徴とする、エアゾール容器を備える固定噴射用ケース。
【発明の詳細な説明】
【技術分野】
【０００１】
本発明は、エアゾール容器をケースに固定して使用できるようにすることで、エアゾール容器を手に取って使用だけでなく、エアゾール容器を据え置いた状態でも使用することもできるようにするための技術に関するものである。
【背景技術】
【０００２】
エアゾール容器としては、例えば、容器本体の上側に設けられたヘッドの押し下げによって、このヘッドに形成された開口部を通して、芳香剤を噴射させるものがある（例えば、特許文献１参照）。
【先行技術文献】
【特許文献】
【０００３】
【特許文献１】実開平４−８６７８９号公報
【発明の概要】
【発明が解決しようとする課題】
【０００４】
上述のエアゾール容器は、使用者が直接手にとって使用することで、使用者が意識する場所に直接内容物を噴射させることできる。このため、こうしたエアゾール容器によれば、その使用に際し、使用者の意思を直接反映させることができる。
【０００５】
しかしながら、反対に、内容物を外界に噴射させることが主目的であり、内容物を噴射させる場所を、適宜意識する必要が無い場合にまで、使用者がエアゾール容器を直接手にとって使用することは使い勝手が悪く、改善の余地がある。
【０００６】
本発明の目的とするところは、エアゾール容器として自由に使用することも、エアゾール容器として固定して使用することもできるエアゾール容器を備える固定噴射用ケースを提供することにある。
【課題を解決するための手段】
【０００７】
本発明のエアゾール容器を備える固定噴射用ケースは、容器本体に設けられたヘッドの押し下げにより当該ヘッドに形成されたノズルを通して内容物が噴射されるエアゾール容器と、当該エアゾール容器が容器本体の底部及び胴部を支持された状態で斜めに載せ置かれる凹部を有する本体と、当該本体に合わさって内側にエアゾール容器の収納空間を形成する蓋体とを備え、当該蓋体に、ヘッドに接触可能な突起を一体に有して蓋体に形成されたＵ字状のスリットにより形作られた片持ち支持片であり、当該片持ち支持片の自由端側に一体に設けられ蓋体の外側に膨出する押圧ボタンの押し込みによって前記突起がヘッドを押し下げる噴射スイッチを設け、ノズルからの内容物が蓋体に形成した貫通孔を通して外界に噴射されるようにしたことを特徴とするものである。
【０００８】
また、本発明のエアゾール容器を備える固定噴射用ケースは、容器本体に設けられたヘッドの押し下げにより当該ヘッドに形成されたノズルを通して内容物が噴射されるエアゾール容器と、当該エアゾール容器が容器本体の底部及び胴部を支持された状態で斜めに載せ置かれる凹部を有する本体と、当該本体に合わさって内側にエアゾール容器の収納空間を形成する蓋体とを備え、当該蓋体又は本体に、ヘッドに接触可能な突起を一体に有し回転可能に保持される回転部材であり、当該回転部材に一体に設けられ蓋体に形成された開口部から蓋体の外側に膨出する押圧ボタンの押し込みによって前記突起がヘッドを押し下げる噴射スイッチを設け、ノズルからの内容物が蓋体に形成した貫通孔を通して外界に噴射されるようにしたことを特徴とするものである。
また、本発明では、前記凹部は、容器本体の胴部側面とそれぞれ接触してエアゾール容器を胴部幅方向に位置決めする２つの側壁を有することが好ましい。
【０００９】
本発明では、ヘッドの側面に、前記凹部から突出させた突起の先端に接触して、ノズルの向きを位置決めする縦リブを設けることができる。
【００１０】
また、本発明では、蓋体を本体に対して回転可能に軸支することができる。
【発明の効果】
【００１３】
本発明では、エアゾール容器が本体の凹部に対して底部及び胴部を支持された状態で斜めに載せ置かれるため、エアゾール容器を凹部に載せ置くだけの簡単な操作で、エアゾール容器を比較的安定した状態に位置決めすることができる。これにより、本発明では、特別な操作を行うことなく、エアゾール容器を本体に対して自由に固定し、又は、取り外すことができる。
【００１４】
また、本体の凹部は、エアゾール容器の底部を支持しているため、エアゾール容器を単体で用いた場合と同様に、ヘッドを押し下げるだけで内容物を噴射させることができる。このため、本発明では、蓋体又は本体に、押圧ボタンの押し込みによってヘッドを押し下げる噴射スイッチを設け、ノズルからの内容物が蓋体の貫通孔を通して外界に噴射されるようにしたことにより、エアゾール容器を装填凹部の底壁に載せ置いて蓋体を閉じれば、噴射スイッチを操作するだけで、内容物を一定に固定された方向に噴射させることができる。
【００１５】
従って、本発明によれば、１つのエアゾール容器を、ケースからエアゾール容器として取り出して自由に噴射することも、エアゾール容器をケースに固定した状態で噴射することもできる。
【図面の簡単な説明】
【００１６】
【図１】本発明のエアゾール容器を備える固定噴射用ケースの第１の形態を示す分解斜視図である。
【図２】(a)〜(c)はそれぞれ、同形態に係るエアゾール容器の正面図、同エアゾール容器を装填した状態を一部仮想線で示す本体の平面図及び、同本体を蓋体で閉じた状態を示す平面図である。
【図３】同形態を操作して内容物を噴射する前の状態を側面から示す一部断面図である。
【図４】同形態を操作して内容物を噴射した状態を側面から示す一部断面図である。
【図５】(a)〜(c)はそれぞれ、本発明のエアゾール容器を備える固定噴射用ケースの第２の形態に係るエアゾール容器の正面図、同エアゾール容器を装填した状態を一部仮想線で示す本体の平面図及び、同本体を蓋体で閉じた状態を示す平面図である。
【図６】同形態を操作して内容物を噴射する前の状態を側面から示す一部断面図である。
【図７】同形態を操作して内容物を噴射した状態を側面から示す一部断面図である。
【発明を実施するための形態】
【００１７】
以下、図面を参照して、本発明のエアゾール容器を備える固定噴射用ケースを詳細に説明する。
【００１８】
図１〜４は、本発明のエアゾール容器を備える固定噴射用ケースの第１の形態である。図において、符号１は、エアゾール容器である。エアゾール容器１は、容器本体２の内側に形成された空間に圧縮ガスと共に、内容物たる、液体の芳香剤等の内容物が充填されている。容器本体２の上側には、図示せぬステムを介してヘッド３が取り付けられている。ヘッド３には、ノズル４が一体に設けられている。ノズル４は、図２(a)等に示すように、上向きに傾斜している。また、ノズル４には、ステムを介して容器本体２内に通じる開口部（以下、「噴射孔」）４ａが形成されている。これにより、ヘッド３を押し下げると、ノズル４の噴射孔４ａを通して内容物が霧状に噴射される。
【００１９】
符号１０は、エアゾール容器１が斜めに載せ置かれる凹部Ｃを有する本体である。凹部Ｃは、図２(b)等に示すように、容器本体２の底部２ａとの接触により当該底部２ａを支持する底壁１１ａと、胴部２ｂとの接触により当該胴部２ｂを支持する底壁１１ａ，１１ｂとを有する。底壁１１ａ，１１ｂは、図３等に示すように、互いに本体１０の底部に向かって傾斜することで、断面Ｖ字形を形成する２つの傾斜壁としてなる。底壁１１ａは、容器本体２の底部２ａと全面に亘って斜めに接触することで、エアゾール容器１を底部２ａ側から支持している。また、底壁１１ｂは、胴部２ｂと斜めに接触することで、エアゾール容器１を胴部２ｂ側から支持している。これにより、底壁１１ａ，１１ｂは、図３等に示すように、エアゾール容器１を、その自重によって比較的安定した状態に位置決めする。
【００２０】
また、凹部Ｃは、底壁１１ａ，１１ｂと一体に繋がる２つの側壁１２ａ，１２ｂを有する。側壁１２ａ，１２ｂは、図２(b)等に示すように、容器本体の胴部２ｂの側面とそれぞれ接触することで、胴部２ｂを嵌合保持している。これにより、側壁１２ａ，１２ｂは、図２(b)に示すように、エアゾール容器１を胴部幅方向に位置決めする。
【００２１】
符号２０は、本体１０に合わさって内側にエアゾール容器の収納空間Ｒを形成する蓋体である。蓋体２０は、本体１０と共に、エアゾール容器１を収納すると共に内容物の噴射を可能にする固定噴射用ケースを構成する。また、蓋体２０は、平坦な天壁２１を有し、この天壁２１には、噴射スイッチ３０が設けられている。
【００２２】
噴射スイッチ３０は、図２(c)に示すように、天壁２１に形成されたＵ字形のスリットＳにより形作られた片持ち支持片（舌片）である。噴射スイッチ３０は、図３等に示すように、その自由端３１側に、蓋体２０の外側に膨出する押圧ボタン３２が一体に設けられている。また、噴射スイッチ３０の固定端３３側には、図３に示すように、その裏面に、ヘッド３に接触可能な突起３４が一体に設けられている。これにより、図３に示す押圧ボタン３２を図４に示すように収納空間Ｒ内に押し込むと、図４に示すように、固定端３３側に弾性変形が生じることにより、突起３４がヘッド３を容器本体２側に押し込むことができる。
【００２３】
更に、噴射スイッチ３０には、ノズル４の噴射孔４ａが外界に解放されるように貫通孔Ａ1が形成されている。これにより、押圧ボタン３２の押し下げによってヘッド３を押し下げられることで、噴射孔４ａからの内容物は、図４に示すように、貫通孔Ａ1を通して外界に噴射される。そして、噴射スイッチ３０は、押圧ボタン３２の押し下げを解除すると、固定端３３側で生じる復元力によって、又は、ヘッド３の復帰によって、図３に示す位置に復帰する。
【００２４】
このように、本形態では、エアゾール容器１が凹部Ｃに対して底部２ａ及び胴部２ｂを支持された状態で斜めに載せ置かれるため、当該エアゾール容器１を凹部Ｃの底壁１１ａ，１１ｂに載せ置くだけの簡単な操作で、エアゾール容器１を比較的安定した状態に位置決めすることができる。これにより、特別な操作を行うことなく、エアゾール容器１を本体１０に対して自由に固定し、又は、取り外すことができる。加えて、本形態では、本体１０に設けた凹部Ｃが２つの側壁１２ａ，１２ｂを有し、当該側壁１２ａ，１２ｂがそれぞれ、図２(b)に示すように、容器本体２の左右から胴部２ｂの側面と接触するため、エアゾール容器１を凹部Ｃに挿入するだけで、エアゾール容器１を胴部幅方向に位置決めすることができる。
【００２５】
また、本体１０の凹部Ｃの底壁１１ａは、エアゾール容器１の底部２ａを支持しているため、エアゾール容器１を単体で用いた場合と同様に、ヘッド３を押し下げるだけで内容物を噴射させることができる。このため、本形態では、蓋体２０に、押圧ボタン３２の押し込みによってヘッド３を押し下げる噴射スイッチ３０を設け、ノズル４からの内容物が蓋体２０の貫通孔Ａ1を通して外界に噴射されるようにしたことにより、エアゾール容器１を装填凹部Ｃの底壁１１ａ，１１ｂに載せ置いて蓋体２０を閉じれば、噴射スイッチ３０を操作するだけで、内容物を一定に固定された方向に噴射させることができる。
【００２６】
従って、本形態によれば、１つのエアゾール容器１を、ケースからエアゾール容器１として取り出して自由に噴射することも、エアゾール容器１をケースに固定して机や床に据え置いた状態で噴射することもできる。
【００２７】
また、本形態では、凹部Ｃは、底壁１１ｂから一体に起立する縦壁１１ｃを有する。縦壁１１ｃには、２つの突起１３が本体１０の幅方向（短手方向）に間隔を空けて一体に設けられている。突起１３の先端にはそれぞれ、ヘッド３の側面に設けた縦リブ５に接触する斜面１３ｆが形成されている。ヘッド３の縦リブ５は、ノズル４を挟んで対向する位置に設けられている。これにより、エアゾール容器１を装填するだけで、図２(b)等に示すように、ノズル４の向きを容易に位置決めすることができると共に、ヘッド３が容器本体２に対して回転することを防止できる。なお、突起１３の下方にはそれぞれ、貫通長孔Ａ2が形成されている。
【００２８】
また、ヘッド３の縦リブ５と突起１３とは、本形態のように、２組設けることが好ましいが、少なくとも１組設ければよい。また、突起１３も、エアゾール容器１を装填したときに、縦リブ５に接触することでノズル４の向きを位置決めできれば、本体１０の様々な場所に設けることができる。
【００２９】
更に、本形態の如く、ノズル４を斜め上方に傾斜させれば、エアゾール容器１を大きな角度α1で据え置くことができるため、本体１０の設置面積（底部１０ｂの面積）を小さくすることができる。この場合、エアゾール容器１を狭い場所に据え置くことができることから、省スペース化が図れる。また、エアゾール容器１が縦置きに近い状態となるため、内容物の残量軽減にも役立つ。更に、この場合、エアゾール容器１が縦置きに近い状態となるため、本形態の如く、噴射スイッチを蓋体２０と一体に設けた舌片として構成することができる。
【００３０】
更に、本形態では、蓋体２０は、割り溝部２４を有し、この割り溝部２４を介して本体１０に設けられたシャフト１４に回転可能に軸支されている。これにより、エアゾール容器１の着脱は、蓋体２０を本体１０に対して回転させるだけの容易な操作で行うことができる。なお、蓋体２０は、本体１０に設けた係合突起１５と着脱可能に嵌合する係合凹部２５を更に有する。これにより、蓋体２０の予期せぬ開放を防止する。
【００３１】
また、蓋体２０を本体１０に対して軸支する手段は、これに限定されるものではなく、蓋体２０を本体１０に対して回転させることができる構成であれば、様々な構成のものを採用することができる。
【００３２】
また、本発明に従えば、蓋体２０は、本体１０に対して回転させることなく、例えば、本形態のように、凹部Ｃの開口部を形作る上端縁１６ａ〜１６ｃに形成した２つの案内壁１７を用いることで、蓋体２０を案内壁１７によって着脱可能に嵌合させる構成とすることも可能である。
【００３３】
図５〜７は、本発明のエアゾール容器セットの第２の形態である。以下、第１の形態と同一部分は、同一符号をもって、その説明を省略する。
【００３４】
本形態では、噴射スイッチ４０は、本体１０に回転可能に保持される軸部４１を有する回転部材である。噴射スイッチ４０は、軸部４１の後方（ノズル４よりも遠い位置）に、蓋体２０（天壁２１）に形成された開口部Ａ3から蓋体２０の外側に膨出する押圧ボタン４２が一体に設けられている。また、軸部４１の前方（ノズル４に近い位置）側には、ヘッド３に接触可能な突起４３が一体に設けられている。これにより、図６に示す押圧ボタン４２を図７に示すように収納空間Ｒ内に押し込むと、図７に示すように、軸部４１周りの回転を生じさせることにより、突起４３がヘッド３を容器本体２側に押し込むことができる。そして、噴射スイッチ４０は、押圧ボタン４２の押し下げを解除すると、ヘッド３の復帰によって、図６に示す位置に復帰する。
【００３５】
このように、本形態も、第１の形態と同様、エアゾール容器１が凹部Ｃに対して底部２ａ及び胴部２ｂを支持された状態で斜めに載せ置かれるため、当該エアゾール容器１を装填凹部Ｃの底壁１１ａ，１１ｂに載せ置くだけの簡単な操作で、エアゾール容器１を比較的安定した状態に位置決めすることができる。加えて、本形態でも、第１の形態と同様、本体１０に設けた凹部Ｃが２つの側壁１２ａ，１２ｂを有し、図５(b)に示すように、当該側壁１２ａ，１２ｂがそれぞれ、容器本体２の胴部２ｂの側面と全面に亘って接触するため、エアゾール容器１を凹部Ｃに挿入するだけで、エアゾール容器１を胴部幅方向に位置決めすることができる。このため、本形態では、特別な操作を行うことなく、エアゾール容器１を本体１０に対して自由に固定し、又は、取り外すことができる。
【００３６】
また、本形態では、本体１０に、押圧ボタン４２の押し込みによってヘッド３を押し下げる噴射スイッチ４０を設け、ノズル４からの内容物が蓋体２０の貫通孔Ａ1を通して外界に噴射されるようにしたことから、第１の形態と同様、エアゾール容器１を凹部Ｃの底壁１１ａ，１１ｂに載せ置いて蓋体２０を閉じれば、噴射スイッチ４０を操作するだけで、内容物を一定に固定された方向に噴射させることができる。
【００３７】
従って、本形態によっても、１つのエアゾール容器１を、ケースからエアゾール容器１として取り出して自由に噴射することも、エアゾール容器１をケースに固定した状態で噴射することもできる。
【００３８】
なお、本形態では、噴射スイッチ４０の軸部４１は、図５(b)等に示すように、本体１０の案内壁１７それぞれに形成した凹部１８によって、回転可能に軸支されている。このように、噴射スイッチ４０を本体１０で軸支すれば、押圧ボタン４２を通しての外界からの押し力を本体１０で受けることができる。このため、凹部１８は、割り溝２４のように、軸部４１を抜け止め保持する必要はなく、単なる凹溝として構成することも可能である。但し、本発明に従えば、軸部４１を蓋体２０側で軸支することも可能である。
【００３９】
また、本形態では、ノズル４は、図５(a)等に示すように、ヘッド３に対してほぼ垂直に突出させることで、エアゾール容器１として用いたときの感覚が従来と同じくなるようにしている。また、この場合、エアゾール容器１が小さな角度α2で据え置かれることで、エアゾール容器１はほぼ横置き状態となるため、内容物を真上に近い方向に噴射させることができる。即ち、ノズル４の向きと、エアゾール容器１の装填したときの傾きは、適宜変更することができる。
【００４０】
上述したところは、本発明の一形態を示したにすぎず、本発明に従えば、種々の変更を加えることができる。例えば、底壁１１ａ，１１ｂはそれぞれ、エアゾール容器１の底部２ａ，胴部２ｂと全面に亘って接触することで、エアゾール容器１を保持するものであることが好ましい。但し、本発明に従い、エアゾール容器１を載せ置くだけで安定した状態を維持できれば、例えば、底壁１１ａ，１１ｂを本形態のように連結させることなく、底部２ａ，胴部２ｂを局所的に保持する構成とすることも可能である。そしてこのことは、胴部２ｂの幅方向側面と接触する側面１２ａ，１２ｂについても同様である。さらに、上述した形態の各構成要素は、適宜、組み合わせて用いることができる。
【産業上の利用可能性】
【００４１】
本発明は、容器本体に設けられたヘッドの押し下げにより内容物が噴射されるエアゾール容器であれば、芳香剤等の、様々な内容物を充填したエアゾール容器に適用することができる。
【符号の説明】
【００４２】
１      エアゾール容器
２      容器本体
２ａ    容器底部
２ｂ    容器胴部
３      ヘッド
４      ノズル
４ａ    ノズル開口部（噴射孔）
５      縦リブ（ノズル位置決め用）
１０    本体
１１ａ  （装填凹部）底壁（容器底部側）
１１ｂ  （装填凹部）底壁（容器胴部側）
１２ａ  （装填凹部）側壁
１２ｂ  （装填凹部）側壁
１３    突起（ノズル位置決め用）
１３ｆ  突起斜面
１４    （蓋体回転用）シャフト
１５    （蓋体誤開放防止用）係合突起
１６    本体上端縁
１７    案内壁
１８    （噴射スイッチ軸部保持用）凹部
２０    蓋体
２１    天壁
２４    （蓋体回転用）割り溝部
２５    （蓋体誤開放防止用）係合凹部
３０    噴射スイッチ（第１の形態）
３１    自由端
３２    押圧ボタン
３３    固定端
３４    （ヘッド押し下げ用）突起
４０    噴射スイッチ（第２の形態）
４２    押圧ボタン
４３    固定端
【図１】
0005582950.tif 000002
【図２】
0005582950.tif 000003
【図３】
0005582950.tif 000004
【図４】
0005582950.tif 000005
【図５】
0005582950.tif 000006
【図６】
0005582950.tif 000007
【図７】
0005582950.tif 000008